Podtech/llm-jp-corpus-v4-ja_patent huggingface dataset:
(57)【要約】　　　（修正有）【課題】視覚を通し直感的かつリアルタイムに放射線を認知できる放射線測定表示装置を提供する。【解決手段】放射線検出装置とカラー表示装置とを組合せ、放射線検出器からの出力信号を信号処理部にて放射線の種類別に出力し、この信号を表示制御部に伝送し、カラー表示装置により放射線の種類別に異なった色表示を同一面上に実現させ、例えば、放射線管理基準値に対する棒グラフ、あるいは管理基準値の特定の色階調に対する濃淡などで色表示をすることにより、放射線に対する視認性を高める。【選択図】　図１
0003098417.tif 000002
【実用新案登録請求の範囲】
【請求項１】
放射線をその種類別に検出する放射線検出装置と、この放射線検出装置で得られた放射線の種類別に得られた電気信号に対応して、放射線の種類別に異なった色表示をするカラー表示装置とを具備することにより、視認性を高めたことを特徴とする放射線測定表示装置。
【考案の詳細な説明】
【０００１】
【考案の属する技術分野】
本考案は、放射性物質、核燃料物質、放射線発生装置などを取扱う施設で、放射線安全管理の目的で使用される放射線測定表示装置に関する。
【０００２】
【従来の技術】
従来、放射性物質、核燃料物質、放射線発生装置などの取扱い施設では、放射線をその種類別に検出する放射線検出装置で得られた電気信号の表示形態は、放射線の種類毎にその計数率又は線量当量率を、メータ指針によるアナログ表示または文字によるデジタル表示を行うものである。
【０００３】
一方、文献（特開平５−１０００３０号公報）では、例えばガイガーミュラー計数管により検出した放射線レベルを信号処理部で信号処理した後に、該レベルに対応して発光部でカラーパターン及び点滅パターンを変化させて、レベル表示の視認性を高めた放射線レベル測定表示装置も提案されている。
【０００４】
【考案が解決しようとする課題】
本考案は、放射線の種類別に、例えばα線は赤、β線は青、γ線は緑などのようにカラー表示することにより、放射線に対する専門的な知識がなくても、視覚を通し直感的かつリアルタイムに放射線を認知できることを特徴とする放射線測定表示装置を提供することにある。
【０００５】
【課題を解決するための手段及び作用】
本考案は、例えば２層構造のプラスチックシンチレーション検出器により、例えばプラスチック中での放射線の種類による飛程の違いを利用して、各層からの光信号を互いに独立して集光し、電気信号に変換し、放射線の種類別の電気信号に対応して色別表示をするカラー表示装置を接続することにより、放射線の種類別に対する視認性を高めることが可能となる。
【０００６】
【実施例】
以下図面を参照して本考案の二、三の実施例を説明する。
【０００７】
図１は本考案の一実施例に係る装置構成を示すブロック図で、１１は例えば２層型のプラスチックシンチレータ及び各シンチレータと別々に光学結合させた光電子増倍管から構成される放射線検出器部、１２は光電子増倍管の出力信号を処理する信号処理部、１３は信号処理部１２からの信号により表示駆動制御を行う表示制御部、１４は例えばカラー液晶表示器であり、放射線の種類に対応して異なった色表示を同一画面上にリアルタイムに行うカラー表示部、１５は上記各部に電力を供給する電源である。
【０００８】
カラー液晶画面における表示例としては、例えばα線は赤、β線は青、γ線は緑とし、例えば放射線管理基準値に対する棒グラフで測定結果を表示する。
【０００９】
カラー液晶画面における他の表示例としては、例えばα線は赤、β線は青、γ線は緑とし、例えば放射線管理基準値をある特定の階調（輝度）で画像表示し、これに対して測定結果を上記基準値に対する濃淡で同時に画像表示する。
【００１０】
更にカラー表示部１４は表示器として、例えば複数の小型のカラーエレクトロルミネセンス（カラーＥＬ）パネルに変更することも可能である。
【００１１】
図２は、図１に示した一実施例に係る外観構成を示す斜視図で、２１は左右の手の表面汚染をそれぞれ検出する手検出器部、２２は左右の足の表面汚染をそれぞれ検出する足検出器部、２３は信号処理部、表示制御部及び電源の収納部、２４はカラー表示部、２５は支柱である。
【００１２】
図３は本考案の別の一実施例に係る装置構成を示すブロック図で、３１は放射線検出器部、３２は信号処理部、３３は送信制御部、３４は送信側、受信側それぞれの無線モデム、３５はアンテナ付き送信部、３６はアンテナ付き受信部、３７は受信・表示制御部、３８はカラー表示部であり、例えば、大型加速器施設内の放射線量当量率の空間分布のマッピングにおいて、例えばβ線、γ線、中性子線をそれぞれ青、緑、黄のカラー表示とし、１枚のカラー液晶パネルにリアルタイムに、マッピングの位置情報上にそれぞれの放射線の線量当量率に対応した例えば色階調で表示する。
【００１３】
図３の実施例にように、放射線検出装置とカラー表示装置は必ずしも接近した位置にある必要はなく、放射線検出部の出力信号を無線送信し、離れた場所に設置されたカラー液晶パネルに施設内の放射線情報をリアルタイムに表示することができる。
【００１４】
【考案の効果】
以上詳述したように本考案は、放射線の種類を弁別しながら測定する放射線検出装置と、カラー表示装置との組合せにより、離れた場所においてもリアルタイムに放射線の種類毎の例えば線量当量率情報が、色別に例えばその階調（輝度）でカラー表示することにより視認性を高め、放射線の専門知識がなくても直感的に放射線を認知することを可能とした放射線測定表示装置を提供するものである。
【図面の簡単な説明】
【図１】本考案の一実施例に係る装置構成を示すブロック図である。
【図２】図１に示した一実施例に係る外観構成を示す斜視図である。
【図３】本考案の別の一実施例に係る装置構成を示すブロック図である。
【符号の説明】
１１…２層型プラスチックシンチレーション検出器、１２…信号処理部、１３…表示制御部、１４…カラー表示部、１５…電源、２１…手検出器部、２２…足検出器部、２３…回路系収納部、２４…カラー表示部、２５…支柱、３１…放射線検出器部、３２…信号処理部、３３…送信制御部、３４…無線モデム、３５…送信部、３６…受信部、３７…受信・表示制御部、３８…カラー表示部
【図１】
0003098417.tif 000003
【図２】
0003098417.tif 000004
【図３】
0003098417.tif 000005
(57)【要約】【課題】手間・費用をかけず、防蚊効果（フィラリア症予防）を上げるものを提供する。【解決手段】防蚊加工を繊維生地に施し、ペット用の敷物を作る。ペットがその敷物を使用した場合は蚊が寄って来ず、安全・快適に生活出来る。その上、その敷物は防水性・対洗濯性に優れ、滑り止めも付いたものである。　小型犬から大型犬まで対応可能である。【選択図】　図１
0003098413.tif 000002
【実用新案登録請求の範囲】
【請求項１】
繊維生地にトルアミド系複合化合物を塗布することによる防蚊加工を施したペット用敷物。
【請求項２】
上記の物に防水加工をし、滑り止めを施したペット用敷物。
【考案の詳細な説明】
【０００１】
【考案の属する技術分野】
本考案は、ペット用に用いる防蚊機能等を持つ敷物に関する。
【０００２】
【従来の技術】
従来、蚊（フィラリア症）からペットを守るための手段としては、予防注射や飲用の特殊な抗生物質、蚊取り線香、虫除けスプレー等があり、それがほとんどだった。
【０００３】
【考案が解決しようとする課題】
フィラリア症にペットがかかると、治療が大変で、ペットも大変苦しみ、治療費が高額となる。よって、予防が非常に重要視される。予防注射や飲用の特殊な抗生物質は非常に高額で、それでも完全に予防する事は出来ない。補助的なものとして、蚊取り線香、虫除けスプレー等も利用できるが、その都度その都度の使用で手間がかかる。それらに加えてさらに手間もかからず、予防効果を上げるものが必要となる。
【０００４】
【課題を解決するための手段】
上記の課題を解決する為に、防蚊加工剤を繊維生地に施し、敷物を作る。ペットがその敷物の上でいる場合には蚊が寄りにくく、安全・快適で生活出来るようにする。さらにその敷物は、防水性もあり、滑らず、大型ペット・小型ペット両方に対応でき、対洗濯性に優れておるものが良い。
【０００５】
【考案の実施の形態】
以下、図面を用いながら、本考案の構成を詳細に説明する。
【０００６】
本考案は、大きく分けて、繊維生地本体（１）と防水加工シート部（２）スリップ防止マット部（３）ヘム部（４）マジックテープ（５）に分けられ、繊維生地本体（１）に防蚊加工を施しており、防水も出来、滑り止め効果もあることを特徴とする。
【０００７】
上記の繊維生地を構成する繊維に特に限定はないが、繊維生地本体（１）はパイル調のものが好ましい。
【０００８】
上記の繊維生地自体は、公知の任意の方法によって製造されたものでよく、例えば、綿繊維紡績糸を用い、ダブルラッセル機にて、二重構造の組織に編み立て、二重構造の組織間をセンターカットして二枚のパイル原反とし、それぞれに染料を含む染料液をパッディングあるいはプリントし、スチーミングして、染料を繊維に着色させる染色加工を施した後、さらに後程詳しく説明する防蚊加工を施し、そして、毛捌き、せん毛の繰り返し加工工程により、片面パイルの各々の仕上加工を施す。
【０００９】
本考案の繊維生地のパイル長は特に制限しないが、３ｍｍ〜６ｍｍであることが好ましい。
【００１０】
本考案の繊維生地に施すプリントは特に制限しないが、動物用であることから動物柄（ヒョウ・虎・シマウマ等）を用いているが、花柄や幾何柄等も用いることも可能である。
【００１１】
繊維生地に加工する防蚊加工剤は、蚊に対する忌避効果のある薬品で、外観は乳白色の液体で水に分散する溶解性を持っているものである。薬品の成分はトルアミド系複合化合物で、対洗濯性を持たせる為、特殊アクリル樹脂を加える。風合を良くする場合は特殊ウレタン樹脂を使うこともある。
【００１２】
上記の加工剤を用いて加工するが、まずトルアミド系複合化合物を５．０〜８．０％水に分散し、次に、特殊アクリル樹脂を５．０〜８．０％加えて、攪拌する。
【００１３】
次に、繊維生地を水に溶かした上記加工剤に含浸させた後、マングルにより絞るパディング法で処理する。
【００１４】
そしてその後熱セット処理としてキュアリング（１３０℃×３〜５分）する。キュアリングをすることによって、対洗濯性が良くなる。
【００１５】
続いて防水加工シート（２）はの説明であるが、この防水加工シート（２）は特に限定はしないが、ＥＶＡ（エチレンビニールアクリレート）で出来ており、厚みは０．２５ｍｍにも満たない程薄いものであり、水分を通さないものを使用する。
【００１６】
スリップ防止マット部（３）は繊維素材により作られた不織布で、外部、主に床面等との接点と粘着性を出す為に、ＭＢＲ（メタリルグチレンラバー）加工を施したものである。繊維素材はポリエステルが好ましい。
【００１７】
防蚊加工を施した繊維生地本体（１）とスリップ防止マット部（３）の間に防水加工シート部（２）を挟み込み、両者を接着し、目的のサイズに裁断した後、四方をヘム（４）で縁を付け、縫製加工する。
【００１８】
本考案の敷物のサイズは特に制限しないが、小型ペットなら、５０ｃｍ×６０ｃｍが好ましい。そしてヘムの長い方の１辺の両端から５乃至１０ｃｍぐらいのところに、それぞれマジックテープを取り付ける。
【００１９】
中・大型ペットなら、上記のマジックテープで２枚をつなげる事で使用可能となる。
【考案の効果】
本考案のペット用防蚊敷物は、ペット用の座具・寝具として使用した際に、忌避作用により、蚊が寄ってくるのを手軽に避けることが出来、予防薬と併用することにより、さらにフィラリア症予防を高め、さらに防水性・対洗濯性に優れ、滑り止めも付いた利便商品として考案・作成したものである。
【図面の簡単な説明】
【図１】本考案のペット用防蚊敷物の全体図である。
【図２】本考案のペット用防蚊敷物の断面図である。
【符号の説明】
１…繊維生地
２…防水加工シート
３…スリップ防止マット
４…縁（ヘム）
５…マジックテープ
６…ラバー部分
【図１】
0003098413.tif 000003
【図２】
0003098413.tif 000004
【手続補正書】
【提出日】平成15年7月11日(2003.7.11)
【手続補正１】
【補正対象書類名】明細書
【補正対象項目名】請求項２
【補正方法】変更
【補正の内容】
【請求項２】
請求項１のペット用敷物に防水加工シートを用いた防水加工をし、ラバ
ーを用いた滑り止めを施したペット用敷物。
(57)【要約】　　　（修正有）【課題】鉄やステンレスの釜では小豆を煮たとき小豆が色落ちして淡い色になって食品としての見栄えが悪い。【解決手段】釜本体１の少なくとも内周面や釜本体内の底部中心に着脱自在に設置した多孔質板からなる濾過筒７、あるいは釜本体内の底面に着脱自在に設置した多孔質板からなる皿形状の濾過板５を銅で成形することにより、この煮炊釜で小豆や青大豆などの色付き豆類あるいは緑黄色野菜などを煮炊したときにその色が色落ちせずに極めて鮮やかな色彩を帯びるようにする。【選択図】　　図１
0003098442.tif 000002
【実用新案登録請求の範囲】
【請求項１】
釜本体の少なくとも内周面を銅材で成形してなることを特徴とすることを特徴とする煮炊釜。
【請求項２】
釜本体内の底部中心に着脱自在に設置した多孔質板からなる濾過筒を銅で成形してなることを特徴とすることを特徴とする煮炊釜。
【請求項３】
釜本体内の底面に着脱自在に設置した多孔質板からなる皿形状の濾過底板を銅で成形してなることを特徴とすることを特徴とする煮炊釜。
【考案の詳細な説明】
【０００１】
【考案の属する技術分野】
この考案は、主として小豆や青大豆などの豆類を煮炊するための煮炊釜に関するものである。
【０００２】
【従来の技術】
従来の主として小豆を煮炊する煮炊釜は、鉄またはステンレスで成形されていた。
【０００３】
【考案が解決しようとする課題】
解決しようとする問題点は、従来の鉄やステンレスの釜では小豆を煮たとき小豆が色落ちして淡い色になって食品としての見栄えが悪い点である。
【０００４】
【課題を解決するための手段】
本考案は、釜本体や釜本体内の底部中心に着脱自在に設置した多孔質板からなる濾過筒、あるいは釜本体内の底面に着脱自在に設置した多孔質板からなる皿形状の濾過板を銅製とすることを最も主要な特徴とする。
【０００５】
【考案の実施の形態】
釜本体の少なくとも内周面や釜本体内の底部中心に着脱自在に設置した多孔質板からなる濾過筒、あるいは釜本体内の底面に着脱自在に設置した多孔質板からなる皿形状の濾過板を銅で成形することにより、この煮炊釜で小豆や青大豆などの色付き豆類あるいは緑黄色野菜などを煮炊したときにその色が色落ちせずに極めて鮮やかな色彩を帯びるようになる。
【０００６】
【実施例】
第１図はこの考案に係る煮炊釜の一例を示したもので、釜本体１は銅板で成形されており、その底面の中央に排出口２が開けられている。
【０００７】
釜本体１はその上端部の下方の部分が略筒状の断熱カバー３で覆われており、断熱カバー３の内周部には断熱材４が取付けられている。
【０００８】
釜本体１の底面には中央部が開口した網当の多孔質板からなる皿形状の濾過底板５が着脱自在に設置され、中央の開口周囲には皿の糸尻のようなリング状の縁枠６が下方に突出しており、この縁枠６が釜本体１の底面に当たって、濾過底板５と釜本体１の底面との間に環状の空隙を形成している。
【０００９】
釜本体１の中心部には網当の多孔質板からなる筒状の濾過筒７が着脱自在に設置され、その底板８は濾過底板５の中央の縁枠６に嵌合して釜本体１の中心部に着脱自在に垂直に保持されており、上端には濾過筒７を手で上方に引き上げるための把手９が取付けられている。
【００１０】
断熱カバー３の内部には釜本体１の底部を加熱するためのガスバーナー１０が設置されており、下端には複数本の支脚１１が取付けられている。
【００１１】
また、断熱カバー３の上端部周囲には複数の排気口１２が、また下端部には点火用の穴１３が設けられている。
【００１２】
釜本体１の排出口２には排出パイプ１４が接続されている。
【００１３】
なお、釜本体１は、そ外周面をステンレス等で成形し、内周面に銅板を貼り付けたり、メッキを施したものであってもよい。
【００１４】
また、濾過底板５及び又は濾過筒７を銅で成形してもよく、この場合には釜本体１をステンレスや鉄で成形してもよい。
【００１５】
釜本体１の上端開口は図示しない蓋板で開閉自在に閉鎖する。
【００１６】
以上の構成において、釜本体１内に小豆等の食材を煮汁と共に入れ、ガスバーナー１０で加熱すると、煮汁は濾過底板５および濾過筒７内を流通しながら内部で対流し、食材を内部で攪拌しながら煮炊する。
【００１７】
この煮炊の間に釜本体１等の銅材から銅イオンが溶出し、これが小豆等の辱材の色素に作用して色落ちすることなく食材の色をより鮮やかな色に変化させる。
【００１８】
煮炊後は、濾過筒７を上方に引き上げて取り出し、内部の煮上がった食材を排出パイプ１４につないだポンプにより強制的に排出する。
【考案の効果】
以上の通りこの考案によれば、釜本体の少なくとも内周面や濾過筒、あるいは濾過板を銅材で成形することにより、この煮炊釜で小豆や青大豆などの色付き豆類あるいは緑黄色野菜などを煮炊したときにその色が色落ちせずに極めて鮮やかな色彩を帯び、食品としての見栄えをよくすることができる。
【図面の簡単な説明】
【図１】この考案の実施例を示す縦断正面図である。
【符号の説明】
１　　釜本体
２　　排出口
３　　断熱カバー
４　　断熱材
６　　濾過底板
７　　濾過筒
８　　底板
９　　把手
１０　ガスバーナー
１１　支脚
１２　排気口
１３　点火用穴
１４　排出パイプ
【図１】
0003098442.tif 000003
(57)【要約】　　　（修正有）【課題】着脱が容易で身体サイズに合わせた調整可能なＴ型ハーネスの提供。【解決手段】ベルト用皮革かテープ状の生地による素材であって、胸ベルト７には調整バックル８を取付け止具により接合し、胴回りベルト１１の右側面には調整バックルを、また左側面には差込ストッパー１３、１４を取付け止具１９、２０により接合し、背面ベルト１１には連結具１０を通し、それぞれ首回りベルト７胴回りベルト１１背面ベルト９をＴ型ハーネスとして組み合わせて止具により接合し形成する。【選択図】　　図４
0003098445.tif 000002
【実用新案登録請求の範囲】
【請求項１】
ベルト用皮革かテープ状の生地による素材であって、胸ベルト（７）には調整バックル（８）を取付け止具（１５〜１６）により接合し、胴回りベルト（１１）の右側面には調整バックル（１２）を、また左側面には差込ストッパー（１３、１４）を取付け止具（１９、２０）により接合し、背面ベルト（１１）には連結具（１０）を通し、それぞれ首回りベルト（７）胴回りベルト（１１）背面ベルト（９）をＴ型ハーネスとして組み合わせて止具（１７、１８）により接合し形成されたＴ型ハーネス。
【考案の詳細な説明】
【０００１】
【考案の属する技術分野】
本考案は、着脱が容易で身体サイズに合わせて調整可能なＴ型ハーネスに関するものである。
【０００２】
【従来の技術】
現在、ハーネスはリードと一体型のものやリードやジョイントの着脱が可能なハーネス独立型のものなどがあるが、どのような形態のものにおいても、前肢を軸にして前胴回り部分（前肢のすぐ前）と後胴回り部分（前肢のすぐ後ろ）の各パーツのベルトに分けてカットしたベルト状の生地を用意し、金具などにより一つのハーネスに形成されている。また中には身体サイズ調整機能を持ち合わせているものもある。また中には近い雰囲気のものもあるようであるが、身体サイズ調整機能はなく、各々のサイズを固定されており、ベルトが太く、どちらかといえば洋服を思わせる造りをしているものである。
【考案が解決しようとする課題】
従来からあるサイズ調整機能やベルト状の生地によるハーネスである特徴はそのままに、着脱操作が容易で、背面連結具によりリードやジョイントの着脱が可能なハーネス独立型であり、また止具を施したベルト生地だけによる構成で身体に触れる場所には金具は使わないので装着感を損なわずフィット感があり、今までにない新たな発想によるハーネスであるという点である。
【０００３】
【課題を解決するための手段】
本考案は、身体のフィット感を考えて余分な金具は使用せず、差込みストッパーのワンタッチによる容易な着脱操作と身体サイズに合わせた調整機能を持ち、Ｔ型の形状をしているハーネスであることを特徴とする。
【０００４】
【考案の実施の形態】
簡易な着脱操作で従来の機能を生かしたＴ型形状のハーネスであるという目的を、ベルト用皮革もしくはテープ状の生地と金具部品及びプラスティック素材で実現した。
【０００５】
【実施例】
図１は、Ｔ型ハーネスの正面図である。図２、３、４はそれぞれ、角度を変えた状態によるものである。ハーネスＡにおいては、ベルト用皮革もしくはテープ状の生地を使用し、幅、厚み、長さは装着対象のサイズに準ずるものとする。生地はそれぞれハーネスＡとなる首回りベルト７、背当ベルト９、胴回りベルト１１のパーツにカットし、輪にした首回りベルトの先を胴回りベルト１１に折返して重ね、余裕をもたせて折返した先には背当ベルト１１を取付けることでＴ型ハーネスが形成される。
【０００６】
また首回りベルト７においては、調整バックル８を１５〜１６の止具で取付け、胴回りベルトにおいては、右側面に１２の調整バックルを、左側面には差し込みストッパー１３、１４を１９、２０の止具で取付け、身体サイズの調整を可能にするための機能を取り付けることによりＴ型ハーネスとして完成される。
【０００７】
また１０の連結具においては、ハーネスを使用時にリード金具を引っ掛けるために必要なものであるので、背当てベルト９を取付ける際にベルトに通して取付けておかなければならない。
【０００８】
図７においてはイヌによる装着参考例で右斜め前方より見た状態である。
【０００９】
【考案の効果】
本考案は上述の通り構成されているので、次にあげる効果を奏する。
【０００１０】
止具を施したベルト生地だけによる構成で身体に触れる場所には金具は使わないので装着感を損なわずフィット感があり、着脱操作が容易で体に通せば後は差込みストッパーがワンタッチで操作を行うことができ、しかも身体サイズの違いに合わせて調整可能な機能を持ち、Ｔ型の形状をしているハーネスである。
【図面の簡単な説明】
【図１】Ｔ型ハーネスの上面部である。
【図２】Ｔ型ハーネスの底面部である。
【図３】Ｔ型ハーネスの右側面部である。
【図４】Ｔ型ハーネスの左面部である。
【図５】Ｔ型ハーネスの正面部である。
【図６】Ｔ型ハーネスの背面部である。
【図７】Ｔ型ハーネスの装着状態の実施例を示す斜視図である。
【符号の説明】
Ａ　ハーネス
１　上面部
２　底面部
３　右側面部
４　左側面部
５　前面部
６　背面部
７　首回りベルト
８、１２　調整バッククル
９　背当ベルト
１０　連結具
１１　胴回りベルト
１３、１４　　差し込みストッパー
１５、１６、１７、１８、１９、２０　　止具
【図１】
0003098445.tif 000003
【図２】
0003098445.tif 000004
【図３】
0003098445.tif 000005
【図４】
0003098445.tif 000006
【図５】
0003098445.tif 000007
【図６】
0003098445.tif 000008
【図７】
0003098445.tif 000009
(57)【要約】　　　（修正有）【課題】茶道で使用する従来の藁灰は製作も難しく又一回毎の使用であり壊れやすいので扱いが難しかった。【解決手段】粘土を藁灰１の如き形状にして黒く焼き上げ耐久性を増して何回でも繰り返して使用出来るようにした。【選択図】　　図３
0003098403.tif 000002
【実用新案登録請求の範囲】
【請求項１】
粘土を黒く焼成して造った藁灰
【考案の詳細な説明】
【０００１】
〔考案の属する技術分野〕
この考案は茶道において使用する藁灰の改良に関するものである
【０００２】
〔従来の技術〕
（イ）従来の藁灰は稲藁の太めで芯が固く丸みを帯びたものを選定し完全な灰にならぬよう蒸し焼きにして炭状に製作する
（ロ）この藁灰を予め起伏状に型どった風炉の灰の上に寸法を切り揃えながら一本ずつすき間なく並べてゆき名残の時季にのみ使用するものである
【０００３】
〔考案が解決しようとする課題〕
（イ）藁灰の製作が煩雑で難しく失敗が多いので熟練を要す
（ロ）藁灰は細くて軟らかく崩れやすいのでハサミで切り揃えたりピンセットで一本ずつを扱う時、根気と時間がかゝり過ぎる
（ハ）使用後の灰と混ざり合った藁灰の破片を篩にかけて除去しなければならない手数があった
（ニ）近年の稲刈は機械で藁を同時に裁断してしまうので藁の入手が難しくなった
【０００４】
〔課題を解決しようとするための手段〕
従来の藁灰が消耗品であり、きやしやに造られている為扱い方が難しく又藁灰の製作の困難さと共にその欠点を解決する為には粘土を硬質に焼いて耐久性を増すこと
【０００５】
〔考案の実施の形態〕
酸化鉄などを混入した粘土で藁状の細い棒を造り、何種類かの所定寸法のものや現場合せの細かく切り込みを入れた棒を黒く焼き上げて擬似藁灰を造る、実施例は図２の如く一本ずつ風炉の内部に並列する
【０００６】
〔考案の効果〕
（イ）何回でも使用出来る
（ロ）材質が硬いので破損が少く扱いやすくなった
（ハ）予め所定の寸法に製作してあるし又細かく切り込みを入れたものがあって適当な個所から折り取ることが出来る
従てハサミで一本ずつを切って寸法合せの必要がない
（ニ）使用後の灰の清掃が簡単になった
【図面の簡単な説明】
【図１】本考案の斜視図
【図２】本考案の使用準備中の側面斜視図
【図３】本考案の使用状態を示す正面斜視図
【符号の説明】
１．藁灰
２．灰
３．五徳
４．前土器
５．炭
６．風炉
【図１】
0003098403.tif 000003
【図２】
0003098403.tif 000004
【図３】
0003098403.tif 000005
【手続補正書】
【提出日】平成15年6月18日(2003.6.18)
【手続補正１】
【補正対象書類名】明細書
【補正対象項目名】実用新案登録請求の範囲
【補正方法】変更
【補正の内容】
【実用新案登録請求の範囲】
【請求項１】
粘土を藁の細さの棒状に形成し、黒く焼成した陶製藁灰。
(57)【要約】　　　（修正有）【課題】ドラム缶の液面のオーバー防止及び安全、環境面を考慮した、ドラム缶等簡易液面計を提供する。【解決手段】液体をドラム缶詰めする時、液面がドラム缶の上方にきた時、竹製のうきが部分図１の様に液体が竹の中空部の空気を押し上げることにより、針金を支点として上方の竹が左右どちらかに倒れる事により液面の上昇を知ることを最も主要な特徴とする。尚ドラム缶だけでなくポリ灯油容器、小、中、大型の容器等にもうきを小さく（大きく）すれば応用可能である。又うきの材質は竹（安価）であるが、液の性状によっては竹以外の材質も可能である。【選択図】　　　　図１
0003098410.tif 000002
【実用新案登録請求の範囲】
【請求項１】
液体をドラム缶詰めする時、ドラム缶の液のオーバーによる薬傷、環境、安全衛生に及ぼす影響等を未然に防ぐ簡易液面計。
【考案の詳細な説明】
【０００１】
【考案の属する技術分野】
本考案は、液体がドラム缶の上方にきた時、確認が容易な簡易液面計である。
【０００２】
【従来の技術】
液体のドラム缶詰め時タイマーをセットしたり、懐中電灯でドラム缶内を照らしたりして液面の確認をして液のオーバーを防止していた、これらの方法は非常に神経を使うばかりでなく、有毒性の液体においては、ひんぱんにドラム缶内部を覗くので衛生面でも問題があった。
【０００３】
【考案が解決しようとする課題】
解決しようとする問題点は、液面がドラム缶のどの辺にあるかいつも目視していなければならない点である。
【０００４】
【課題を解決するための手段】
本考案は、ドラム缶内の液面が上昇し液が竹製のうきに到達した時、上下の変化ではなく左右の傾きにより液面の上昇を知ることを最も重要な特徴とする。
【０００５】
【考案の実施の形態】
ドラム缶内の液面が上昇した時、竹製のうきが竹の中空部の浮力を得て竹の上部が左右に傾くことにより、液がドラム缶の上部に到達した事を知ることを実現した。
【０００６】
【考案の効果】
以上説明したように本考案はドラム缶に液体を詰める時、ドラム缶の液のオーバー防止及び安全、衛生、環境面に大きな効果がある。
【図面の簡単な説明】
【図１】竹製うきの図である。
【図２】ドラム缶セット方法。
【図３】作動原理
【図１】
0003098410.tif 000003
【図２】
0003098410.tif 000004
【図３】
0003098410.tif 000005
【手続補正書】
【提出日】平成15年7月1日(2003.7.1)
【手続補正１】
【補正対象書類名】明細書
【補正対象項目名】実用新案登録請求の範囲
【補正方法】変更
【補正の内容】
【実用新案登録請求の範囲】
【請求項１】
中空の竹の節の上部に針金を横に通したフロートを、ドラム缶等の容器に取り付けた簡易液面計である。
【手続補正書】
【提出日】平成15年8月5日(2003.8.5)
【手続補正１】
【補正対象書類名】明細書
【補正対象項目名】実用新案登録請求の範囲
【補正方法】変更
【補正の内容】
【実用新案登録請求の範囲】
【請求項１】
中空の竹の節の上部に針金を横に通したフロートを、ドラム缶等の容器の蓋の穴に取り付けた竹製の簡易液面計である。
（１）書類名の図１の構造をした簡単な竹製のフロートである。
（２）書類名の図２の様にドラム缶等の小さい方の蓋の穴にフロートの針金を横にかけ取り付ける。
（３）以上の構成を備えた竹製の簡易液面計である。
(57)【要約】　　　（修正有）【課題】家庭の洗濯機での丸洗いが出来、寝心地の良い敷きふとんを提供する。【解決手段】１枚の固わた入り敷き布団を洗濯機に入る重量〔わた層プラス固わた層〕まで軽くし、表生地１０、わた２０層、固わた３０層、裏生地１１を重ね同時にキルティング５０ミシンで縫い込み、中わた、固わた層の洗濯時の動きをなくした。又使用時には同じ２枚の固わた敷きふとんを密着出来る留め具４０，４１を付けた。密着・分割可能な洗濯出来る固わた敷きふとん。【選択図】　図１
0003098409.tif 000002
【実用新案登録請求の範囲】
【請求項１】
表生地（１０）わた層（２０）固わた層（３０）裏生地（１１）を重ね、同時に縫い込み（５０）家庭洗濯機で洗える重量〔わた層（２０）プラス固わた層（３０）］範囲の同じ固わた入りキルティング〔キルトパターンは色々考えられる（５０）〕敷きふとんを２枚作る。
【請求項２】
使用時は２枚を留め具〔スナップボタン・マジックテープ・ひも・ファースナー・バンドが考えられる〕で密着させる。簡単に分割して洗濯し密着して使用する。固わた入り分割可能な敷きふとん。
【考案の詳細な説明】
【０００１】
【考案の族する技術分野】
洗濯時、留め具をはずすしｌ枚づつ家庭用洗濯機で洗濯可能な敷きふとん。
【０００２】
【従来の技術】
従来の固わた入り敷きふとんは、家庭用洗濯機では洗濯は不可能でした。
【０００３】
【考案が解決しようとする課題】
固わた入り敷き布団でありながら家庭用洗濯機で洗濯可能な敷きふとん。
【０００４】
【課題を解決するための手段】
使用時は留め具で２枚の固わた入り敷きふとんを密着して使用し、洗濯時は留め具をはずし、１枚づつ洗濯する事により固わた入り敷きふとんでありながら、家庭用洗濯機で洗濯できる敷きふとん。
【０００５】
【考案の実施の形態】
実施形態図１において示すように表生地１０，中わた層２０、固わた層３０，裏生地１１を重ねてキルティング５０で接結し、まわりを縫って家庭用洗濯機で洗える範囲の重量の敷きふとんを形成し裏生地側に留め具４０、４１を取り付ける。留め具を有する敷きふとんは、使用時には２枚を密着させて使用する事により、寝心地が良く洗濯時には、留め具をはずし、１枚づつ家庭用洗濯機で洗濯できる。表生地、中わた層、固わた層、裏生地がキルティングで接結されているため、洗濯時も中わた層、固わた層が移動する事はなく、外観が型くずれする事もない。
【０００６】
【考案の効果】
留め具を有する敷きふとんは、留め具をはずし１枚づつ簡単に家庭用洗濯機で洗え清潔です。使用時は留め具で密着させる事により、固わたの入っていない敷きふとんにありがちな腰が床に付く床付き感が解消され、寝心地の良い敷きふとん。
【図面の簡単な説明】
【図１】敷き布団の断面図である。
【図２】敷き布団の上面図である。
【符号の説明】
１０　表生地
１１　裏生地
２０　中わた
３０　固わた
４０，４１　留め具
５０　キルティング
【図１】
0003098409.tif 000003
【図２】
0003098409.tif 000004
【手続補正書】
【提出日】平成15年7月2日(2003.7.2)
【手続補正２】
【補正対象書類名】明細書
【補正対象項目名】実用新案登録請求の範囲
【補正方法】変更
【補正の内容】
【実用新案登録請求の範囲】
【請求項１】
表生地、わた層、固わた層、裏生地を重ねキルティングで接結し、まわりを縫いさらに裏生地側に留め具を取り付けた、家庭用洗濯機で洗える範囲の重量の敷きふとん。
【請求項２】
使用時は請求項１の敷きふとん２枚を留め具で密着して使用し洗濯時は、留め具をはずして１枚づつ洗濯する事ができる留め具を有する請求項１記載の敷きふとん。
(57)【要約】　　　（修正有）【課題】被服の前ウエスト部分に付けた布（裏面に面ファスナー等の止め具を付けたもの）をポケットの形にすることができるもので、従来のポケットに比べて、間口と奥行きが広く、中央部分に取付けてあるので、中身がよく見え、ものが出し入れしやすく、使いたいときにポケットを素早く作ることができる被服を提供する。【解決手段】ポケット部分の布に面ファスナーなどを付けて押さえ布とし、中表に縦半分に折りさらに、折り山の角を図のように折り、面ファスナーで止める。上部を折り返して面ファスナーを止めて、出来上がる。【選択図】　図１
0003098402.tif 000002
【実用新案登録請求の範囲】
【請求項１】
（イ）縫製した布の裏側に、止め具（例、面ファスナー、スナップボタン等）を所定の位置に取り付け、それらを止め合わせることによって、ポケット形状やリボン形状等にできる。
【考案の詳細な説明】
【０００１】
【考案の属する技術分野】
○この考案は、被服の前ウエスト部分に付けた布（裏面に面ファスナー等の止め具を付けたもの）をポケットの形にすることができるものである。
○従来のポケットに比べて、間口と奥行きが広く、中央部分に取付けてあるので、中身がよく見え、ものが出し入れしやすく、使いたいときにポケットを素早く作ることができる。
○本案は、使い勝手の良いものとして考案されたもので、これを図面について説明すれば、
図１が出来上がり図（一例としてパンツにつけた場合）
図２は、ポケット部分の布に面ファスナーなどを付けたものと押さえ布。
図４から図８は、ポケットの作り方で、中表に縦半分に折り（図５）さらに、折り山の角を図のように折り（図６）、面ファスナーで止める。
上部を折り返して（図７）面ファスナーを止めて、出来上がりとなる。（図８）
○このポケット付き被服は、洗濯バサミを入れると使いやすく便利である。また、遊園地などに出かけたとき、お菓子を入れたりハンカチやティッシュペーパーなどを入れてもよい。
また、幼児の遊び着としてもよく、おもちゃを入れて楽しむということができる。
○ポケットとして使用しないときには、リボンの形や蝶のような形にして、飾りとしても楽しめる。
○このポケットは、食べこぼしを受けることもできるので便利である。
【図面の簡単な説明】
【図１】ポケットをパンツにつけた図。
【図２】ポケットを作るための布の図。
【図３】押さえ布の図。
【図４】から
【図８】は、ポケットの作り方の図。
【図９】リボンの形にした図。
【図１０】前掛けの形にした図。
【符号の説明】
１ポケット
２パンツ
３面ファスナー
４押さえ布
５布
【図１】
0003098402.tif 000003
【図２】
0003098402.tif 000004
【図３】
0003098402.tif 000005
【図４】
0003098402.tif 000006
【図５】
0003098402.tif 000007
【図６】
0003098402.tif 000008
【図７】
0003098402.tif 000009
【図８】
0003098402.tif 000010
【図９】
0003098402.tif 000011
【図１０】
0003098402.tif 000012
【手続補正書】
【提出日】平成15年7月3日(2003.7.3)
【手続補正１】
【補正対象書類名】明細書
【補正対象項目名】実用新案登録請求の範囲
【補正方法】変更
【補正の内容】
【実用新案登録請求の範囲】
【請求項１】
縫製した布の裏側に、面ファスナー、スナップ、ボタン等の止め具を所定の位置に取り付け、それらを止め合わせることによって、ポケット形状やリボン形状等にすることができる布付き被服。
(57)【要約】　　　（修正有）【課題】薬品による自然環境破壊をする事無く、空中浮遊菌類の抗菌除去と悪臭や有機物など人体免疫低下に問題を生じる毒素の分解除去を強く行なうフィルターであり、菌の繁殖地であるエアコン内部の清掃と清浄化及び抗菌脱臭による安心空間作りを提供する。【解決手段】微粒子状酸化チタン１に微粒子状銀メタル２を溶着した繊維を素材にした銀フィルター３をエアコン吸込み口４に取付ける事を特徴とする室内抗菌浄化エアコン。【選択図】　図１
0003098406.tif 000002
【実用新案登録請求の範囲】
【請求項１】
微粒子状酸化チタン（１）に微粒子状銀メタル（２）を溶着した繊維を素材にした銀フィルター（３）をエアコン吸込み口（４）に取付ける事を特徴とする室内抗菌浄化方法
【考案の詳細な説明】
【０００１】
【考案の属する技術分野】
この考案は、レジオネラ菌、黄色ブドウ球菌、大腸菌Ｏ−１５７、サルモネラ菌等の空中浮遊菌を抗菌する方法に関するものである。
【０００２】
【従来の技術】
次亜塩素酸や安定化二酸化塩素剤の噴霧や天然果実エキスの噴霧、紫外線殺菌やマイナスイオン、オゾン発生装置による抗菌があった。
【０００３】
【考案が解決しようとする課題】
これは次のような問題があった。
次亜塩素酸噴霧では、高残留塩素濃度にしないと殺菌力が無く、人体や環境への影響の方が強い。安定化二酸化塩素剤噴霧は有効塩素が強くて害菌は死滅するが、共に消耗品であり、高価であるのでランニングコストが掛りすぎ、入れ替える管理手間がある。また人体への不安が残る。
紫外線殺菌やマイナスイオン装置では、実際に効果を得る為には高濃度が必要であり多くの電力と風量が必要となり、現状品では作用場所は少スペースに限定される。マイナスイオンが高濃度となると被爆問題も生じる。
またオゾン滅菌では臭いを感じる程度の大量のオゾンでないと効果は余り期待できず、大量のオゾンの場合には人体への不安が残る。
本考案は、以上の問題を解決するために考案されたものである。
【０００４】
【課題を解決するための手段】
光触媒作用のある微粒子状酸化チタン（１）に高い抗菌力を持つ微粒子状銀メタル（２）を溶着した繊維を素材にした銀フィルター（３）をエアコン吸込み口（４）に取り付ける事を特徴とする室内抗菌浄化方法
【０００５】
【考案の実施の形態】
以下、本考案の実施の形態を説明する。
光触媒作用のある微粒子状酸化チタン（１）に高い抗菌力を持つ微粒子状銀メタル（２）を溶着した繊維を素材にした銀フィルター（３）をエアコン吸込み口（４）に取り付ける事を特徴とする室内抗菌浄化方法
微細な微粒子状銀メタル（２）を微粒子状酸化チタン（１）に定着焼成させ、微光でも効率よく活性酸素を生じ有機物を二酸化炭素と水に分解し、抗菌、脱臭作用をする銀フィルター（３）を既存のエアコン（４）の吸気濾過フィルター（５）と吸気表面パネル（６）の間に設ける。
本考案は以上の様な構成で本考案を使用する時は、既存のエアコン（４）、吸気濾過フィルター（５）、吸気表面パネル（６）を清掃した後に吸気濾過フィルター（５）、吸気表面パネル（６）の間に挟み取付けて使用する。
【０００６】
【考案の効果】
マイナスイオンと遠赤外線を放出し、抗菌効果と防カビ効果及びアンモニア、アセトアルデヒド、硫化メチル、トリメチルアミンなどの悪臭、有機物分解及び浄化作用をする。微粒子状銀メタル（２）と微粒子状酸化チタン（１）を定着焼成させた銀フィルター（３）は、光触媒よりも強い抗菌作用を持つ銀メタルにより接触抗菌する。銀フィルター（３）で９５％捕獲し１００％殺菌して、光触媒作用により銀フィルター（３）に残った菌死骸や臭い分子、有機物も分解除去する。目に見えない菌のみならず微細な埃やダニなどの抗菌分解力があり、アレルゲンの低減にもなる。
【図面の簡単な説明】
【図１】本考案の分解斜視図である。
【符号の説明】
１　　微粒子状酸化チタン
２　　微粒子状銀メタル
３　　銀フィルター
４　　エアコン
５　　吸気濾過フィルター
６　　吸気表面パネル
【図１】
0003098406.tif 000003
【手続補正書】
【提出日】平成15年7月4日(2003.7.4)
【手続補正１】
【補正対象書類名】明細書
【補正対象項目名】実用新案登録請求の範囲
【補正方法】変更
【補正の内容】
【実用新案登録請求の範囲】
【請求項１】
微粒子状酸化チタン（１）に微粒子状銀メタル（２）を溶着した繊維を素材にした銀フィルター（３）をエアコン吸込み口（４）に取付けた室内抗菌空気浄化エアコン
(57)【要約】　　　（修正有）【課題】若い世代の方に、少しでも台所に立って頂きたいので、提供する。【解決手段】ダストボックス４と菊型パッキンは、従来は離れていたが、ダストパック３に菊型パッキンに変わるものを取り付け、簡単に処理できるようにした。【選択図】　図３
0003098407.tif 000002
【実用新案登録請求の範囲】
【請求項１】
（１）台所の生ごみを処理する時、蓋付パックなので、生ごみが見えず把手が付いているので、出し入れが簡単である。
【考案の詳細な説明】
【０００１】
【考案の属する技術分野】
本考案は、蓋付把手付のパックにより、生ごみ処理が容易になり衛生的である。
【０００２】
【従来の技術】
流し台のダストボックスを取り出して、ダストパックをセットしなければならなかったのと、ダストボックスに付いている　菊型パッキンに、ぬめりが生じるので　洗浄しなければならなかった。
【０００３】
【考案が解決しようとする課題】
ダストボックスに付いている菊型パッキンを付けたまま、生ごみを処理できれば、衛生的に解決できる。
【０００４】
【課題を解決するための手段】
菊型パッキンを燃やせる素材にする。生ごみが入る所を燃やせる素材にする。ダストパックと流しのダストに段差ができるので、燃やせる素材で把手をつける。袋の取り付け部分を耐久性のあるものにする。
【０００５】
【実施例】
本考案の台所用流し台　ダストパック関して、各図面に基づいて以下説明すると、図１は本考案の蓋の部分になる　把手付き菊型パッキンの、上から見た平面図である。
図２は本考案の正面から見た断面図であり、考案の骨格部分である。菊型パッキンと袋を接合した断面図である。
【００５】
【実施例】
図３は本考案のダストパックを、パックと流し台のダストボックスを縦に並べて、流し台開口部に設置する系統斜視図である。
図４は図１の、菊型パッキの中央部分を、拡大したものである。直径２センチの穴にして　生ごみを流れやすくし、菊型パッキンの耐久性を持たせるためである。
図５は流し台の洗い場部分の断面図である。図３の本考案を設置した物の断面図である
図６は本考案のダストパックを、流し台に設置した時の斜視図である。
【００６】
【考案の効果】
本考案を実施する事で、生ごみの処理が容易になり、水切りをしただけで　パックごとポイ捨てができる。
【００７】
【符号の説明】
（１）ダストパックの把手
（２）ダストパックの菊型蓋
（３）パックの生ごみの入れる部分
（４）ダストボックス
（５）流し台の水槽の開口部
（６）ダストパックの菊型蓋の拡大部分
（７）ダストパックの生ごみ投入部分
（８）流し台の水槽
（９）流し台
【図１】
0003098407.tif 000003
【図２】
0003098407.tif 000004
【図３】
0003098407.tif 000005
【図４】
0003098407.tif 000006
【図５】
0003098407.tif 000007
【図６】
0003098407.tif 000008
【手続補正書】
【提出日】平成15年6月26日(2003.6.26)
【手続補正１】
【補正対象書類名】明細書
【補正対象項目名】実用新案登録請求の範囲
【補正方法】変更
【補正の内容】
【実用新案登録請求の範囲】
【請求項１】
ダストボックス用把手付き蓋付パックであって、把手付き菊型パッキンと、前記菊型パッキンの下に接合された袋とを備え、前記　菊型パッキンが　燃やせる素材で形成されていることを特徴とする、蓋付パック。
【手続補正２】
【補正対象書類名】明細書
【補正対象項目名】図面の簡単な説明
【補正方法】追加
【補正の内容】
【図面の簡単な説明】
【図１】本考案のダストボックス用把手付き蓋付パックの　蓋の部分になる、把手付き菊型パッキンの上から見た平面図である。
【図２】本考案のダストボックス用把手付き蓋付パックの　正面から見た断面図であり、本考案の骨格部分である。把手付き菊型パッキンとダストボックスに入る袋を、接合した断面図である。
【図３】本考案のダストボックス用把手付き蓋付パックを、パックと流し台のダストボックスを縦に並べて、流し台開口部に設置する　系統斜視図である。
【図４】本考案のダストボックス用把手付き蓋付パックの、菊型パッキンの中央部分を拡大したものである。
【図５】本考案のダストボックス用把手付き蓋付パックを、流し台の洗い場部分に、設置した断面図である。
【図６】本考案のダストボックス用把手付き蓋付パックを、流し台に設置したときの斜視図である。
【符号の説明】
（１）ダストボックス用把手付き蓋付パックの把手
（２）ダストボックス用把手付き蓋付パックの菊型パッキンの蓋
（３）ダストボックス用把手付き蓋付パックの生ごみを入れる部分の袋
（４）ダストボックス
（５）流し台の水槽の開口部
（６）菊型パッキンの蓋の中央部分
（７）生ごみ投入部分
（８）流し台の水槽部分
（９）流し台


【手続補正３】
【補正対象書類名】図面
【補正対象項目名】図４
【補正方法】変更
【補正の内容】
【図４】
0003098407.tif 000009
(57)【要約】【課題】簡単に裾止めができしかも装着時に目立たず、外観を損なわずに、ズボンの裾が地面と接触しないようにするズボン裾止め具。【解決手段】バックル３で長さ調節が可能な伸縮ゴム又は、布のバンド４の両端に金具２を付け開閉するクリップ１の挟み部５を対面させ付けて成るズボン裾止め具である。【選択図】　　　　　図１
0003098482.tif 000002
【実用新案登録請求の範囲】
【請求項１】
バックル３で長さ調節が可能な伸縮ゴム又は、布のバンド４の両端に金具２を付け開閉するクリップ１の挟み部５を対面させて取り付けたズボン裾止め具。
【考案の詳細な説明】
【０００１】
【考案の属する技術分野】
本考案は、ズボンの裾を引きずらないためのズボン裾止め具に関するものである。
【０００２】
【従来の技術分野】
従来は、一時的に裾を上げるものはあった。図６に示した止め具８では、止めが目立ちズボンにしわができ、外観を損ねてしまう。
図７で示したように止め具なしで裾の長いズボンをはくと、踵部分が地面に触れて汚れたり、生地が地面との摩擦で擦れ切れてしまう。又、降雨時は、ズボンが濡れてしまう。
【０００３】
【特許文献１】実開平　５−５６９１７号公報
【０００４】
【考案が解決しようとする課題】
本考案は従来のかかる問題点に鑑みてなされたもので、簡単に裾止めができしかも装着時に目立たず、外観を損なわずに、ズボンの裾が地面に接触しないようにするズボンの裾止め具を提供しようとするものである。
【０００５】
【課題を解決するための手段】
上記目的を達成するために本考案は、バックル３で長さ調節が可能な伸縮ゴム又は、布のバンド４の両端に金具２を付け開閉するクリップ１の挟み部５を対面させ付けて成る足の甲を支点に裾を支えるズボン裾止め具である。
【０００６】
【考案の実施の形態】
上記のように構成した本考案は、クリップ１のつまみ部６で挟み部５を開閉させて足の側面にあたるズボンの裾に固定する。次に伸縮ゴム又は、布のバンド４に設けたバックル３でバンドの長さを調節する。
これによって図７に示した地面に接した裾の踵部分は、図８に示したように踵上部に持ち上がる。同時に、図８に示したように裾がつま先の方向に異動し足の甲に裾が集まりズボンの裾が全体的に持ち上がった状態となり地面から離れる。従って、地面と触れて汚れることも、摩擦で擦れ切れることも、雨で濡れることもなく、裾止め具自体が目立ったり、しわが目立ったりせず、外観も損なわない。
又、図１１に示したようにシルバーの装飾７をクリップ１のズボンの外に出る部分に付ければ光って目立ちファションにもなる。
【０００７】
【実施例】
図２において、長さ調節を可能にするためにバックル３を設けた伸縮ゴム又は、布のバンド４の両端に、金具２を取り付け。そして、金具２にクリップ１の挟み部５が図１のように対面するように取り付けて構成されるズボン裾止め具である。
【０００８】
【考案の効果】
上記のように構成した本考案は、バンド部分がズボンの裾の中に隠れるため裾止め具が目立たず外観的にも優れており、常に装着しておける。又、ズボンの裾に固定したクリップの外にでる部分に、シルバーの装飾９をつけてファッションにもなる。目立たなくするには、外に出る部分をズボンの色に合わせれば目立たなくなる。更に、バンドの両端に着けたクリップの挟み部を対面させたことにより、図９で示したようにズボンの裾を中に折り曲げない。又、バンドの長さ調節が可能なためズボンや靴のデザイン、大きさに合わせることができる。この裾止め具の装着によりズボンの裾が地面に触れて汚れたり、擦れ切れたり、濡れたりしない。
【図面の簡単な説明】
【図１】本考案のズボン裾止め具の側面図である。
【図２】本考案のズボン裾止め具の斜視図である。
【図３】クリップ１の側面図と斜視図である。
【図４】金具２の側面図と斜視図である。
【図５】バックル３の側面図と斜視図である。
【図６】従来技術の実施例を示す斜視図である。
【図７】従来の裾の状態を示す説明図である。
【図８】本考案の実施例の使用状況を示す説明図である。
【図９】本考案の効果の使用状況を示す説明図である。
【図１０】シルバーの装飾７の正視図と側面斜視図である。
【図１１】本考案の実施の形態の使用状況を示す正視図と斜視図である。
【符号の説明】
１　クリップ
２　金具
３　バックル
４　伸縮ゴム又は、布のバンド
５　挟み部
６　つまみ部
７　シルバーの装飾
８　従来技術止め具
【図１】
0003098482.tif 000003
【図２】
0003098482.tif 000004
【図３】
0003098482.tif 000005
【図４】
0003098482.tif 000006
【図５】
0003098482.tif 000007
【図６】
0003098482.tif 000008
【図７】
0003098482.tif 000009
【図８】
0003098482.tif 000010
【図９】
0003098482.tif 000011
【図１０】
0003098482.tif 000012
【図１１】
0003098482.tif 000013